(57)【要約】【課題】光源から射出された照明光を収束させるための光学系の取り付け位置がばらついているような場合でも、光源から射出された照明光を内視鏡の照明用ライトガイドの入射端面に正しく入射させることができる内視鏡の照明光入射コネクタを提供すること。【解決手段】照明用ライトガイド４が挿通された基端側筒体１１の先端部分に、照明用ライトガイド４の入射端部が挿通固定された先端側筒体１２を軸線１２ｘ周りに回転自在に連結すると共に、照明用ライトガイド４の入射端面４ａを先端側筒体１２の先端部分に偏心させて取り付け、基端側筒体１１に対して先端側筒体１２を軸線１２ｘ周りに回転させることにより、光源５１から射出された照明光に対する照明用ライトガイド４の入射端面４ａ位置が先端側筒体１２の軸線１２ｘ周りに回動して、光源５１から照明用ライトガイド４の入射端面４ａに入射する照明光の光量が変化するようにした。【選択図】      図１
2006122063.tif 000002
【特許請求の範囲】
【請求項１】
照明用ライトガイドの入射端部が挿通固定され、光源装置に内蔵された光源から射出された照明光が上記照明用ライトガイドの入射端面に入射するように上記光源装置に挿脱自在に接続される内視鏡の照明光入射コネクタにおいて、
上記照明用ライトガイドが挿通された基端側筒体の先端部分に、上記照明用ライトガイドの入射端部が挿通固定された先端側筒体を軸線周りに回転自在に連結すると共に、上記照明用ライトガイドの入射端面を上記先端側筒体の先端部分に偏心させて取り付け、
上記基端側筒体に対して上記先端側筒体を軸線周りに回転させることにより、上記光源から射出された照明光に対する上記照明用ライトガイドの入射端面位置が上記先端側筒体の軸線周りに回動して、上記光源から上記照明用ライトガイドの入射端面に入射する照明光の光量が変化するようにしたことを特徴とする内視鏡の照明光入射コネクタ。
【請求項２】
上記先端側筒体が上記基端側筒体に対して軸線方向に移動するのを規制するスライド規制手段が設けられている請求項１記載の内視鏡の照明光入射コネクタ。
【請求項３】
上記先端側筒体を上記基端側筒体に対して軸線周りに回転させた任意の位置で静止させるための回転静止手段が設けられている請求項１又は２記載の内視鏡の照明光入射コネクタ。
【請求項４】
上記回転静止手段が、上記先端側筒体と上記基端側筒体との嵌合部に潰された状態で装着された弾力性のある材料からなるＯリングであり、上記Ｏリングで生じる摩擦抵抗によって上記先端側筒体が上記基端側筒体に対して弾力的に固定される請求項３記載の内視鏡の照明光入射コネクタ。
【請求項５】
上記基端側筒体に対する上記先端側筒体の最大回転範囲を３６０°以内の角度で規制する最大回転範囲規制手段が設けられている請求項１、２、３又は４記載の内視鏡の照明光入射コネクタ。
【請求項６】
上記先端側筒体を回転操作するための回転操作摘みが上記先端側筒体の後端外周部に形成されている請求項１、２、３、４又は５記載の内視鏡の照明光入射コネクタ。
【発明の詳細な説明】
【技術分野】
【０００１】
この発明は内視鏡の照明光入射コネクタに関する。
【背景技術】
【０００２】
内視鏡には一般に照明用ライトガイドが内挿配置されていて、光源装置に内蔵された光源ランプから射出された照明光が照明用ライトガイドの入射端面に入射するように光源装置に挿脱自在に接続される照明光入射コネクタが、連結可撓管の先端に取り付けられている。
【０００３】
そして、照明光入射コネクタが光源装置に接続されたときに、光源ランプから射出された照明光に対する照明用ライトガイドの入射端面位置がばらついて照明用ライトガイドへの入射光量がその時々で変動しないように、内視鏡の照明光入射コネクタとそれが差し込まれる光源装置のコネクタ受け孔側とにテーパ状の案内機構等が設けられている（例えば、特許文献１）。
【特許文献１】特開平７−３１３４５６
【発明の開示】
【発明が解決しようとする課題】
【０００４】
しかし、光源装置のコネクタ受け孔に対する内視鏡の照明光入射コネクタの差し込み位置がどんなに一定に設定されても、光源から射出された照明光を照明用ライトガイドの入射端面に収束させるための光学系の取り付け位置等が製造上ばらつくことは避けられない。
【０００５】
そして、そのような原因により照明光の収束位置が照明用ライトガイドの入射端面とずれている場合等にはそれを補正することができないため、照明用ライトガイドに十分な照明光量が供給されない場合があり、特に、自家蛍光観察内視鏡のように収束面積が小さいレーザー光源が用いられる場合等には大きな影響が生じる場合があった。
【０００６】
そこで本発明は、光源から射出された照明光を収束させるための光学系の取り付け位置がばらついているような場合でも、光源から射出された照明光を内視鏡の照明用ライトガイドの入射端面に正しく入射させることができる内視鏡の照明光入射コネクタを提供することを目的とする。
【課題を解決するための手段】
【０００７】
上記の目的を達成するため、本発明の内視鏡の照明光入射コネクタは、照明用ライトガイドの入射端部が挿通固定され、光源装置に内蔵された光源から射出された照明光が照明用ライトガイドの入射端面に入射するように光源装置に挿脱自在に接続される内視鏡の照明光入射コネクタにおいて、照明用ライトガイドが挿通された基端側筒体の先端部分に、照明用ライトガイドの入射端部が挿通固定された先端側筒体を軸線周りに回転自在に連結すると共に、照明用ライトガイドの入射端面を先端側筒体の先端部分に偏心させて取り付け、基端側筒体に対して先端側筒体を軸線周りに回転させることにより、光源から射出された照明光に対する照明用ライトガイドの入射端面位置が先端側筒体の軸線周りに回動して、光源から照明用ライトガイドの入射端面に入射する照明光の光量が変化するようにしたものである。
【０００８】
なお、先端側筒体が基端側筒体に対して軸線方向に移動するのを規制するスライド規制手段が設けられているとよい。また、先端側筒体を基端側筒体に対して軸線周りに回転させた任意の位置で静止させるための回転静止手段が設けられているとよい。
【０００９】
その場合、回転静止手段が、先端側筒体と基端側筒体との嵌合部に潰された状態で装着された弾力性のある材料からなるＯリングであり、Ｏリングで生じる摩擦抵抗によって先端側筒体が基端側筒体に対して弾力的に固定されるようにしてもよい。
【００１０】
また、基端側筒体に対する先端側筒体の最大回転範囲を３６０°以内の角度で規制する最大回転範囲規制手段が設けられていてもよく、先端側筒体を回転操作するための回転操作摘みが先端側筒体の後端外周部に形成されていてもよい。
【発明の効果】
【００１１】
本発明の内視鏡の照明光入射コネクタによれば、基端側筒体に対して先端側筒体を軸線周りに回転させることにより、光源から射出された照明光に対する照明用ライトガイドの入射端面位置が先端側筒体の軸線周りに回動して、光源から照明用ライトガイドの入射端面に入射する照明光の光量が変化するので、光源から射出された照明光を収束させるための光学系の取り付け位置がばらついているような場合でも、光源から射出された照明光を内視鏡の照明用ライトガイドの入射端面に正しく入射させて、良好な内視鏡観察を行うための十分な照明明るさを安定して確保することができる。
【発明を実施するための最良の形態】
【００１２】
照明用ライトガイドが挿通された基端側筒体の先端部分に、照明用ライトガイドの入射端部が挿通固定された先端側筒体を軸線周りに回転自在に連結すると共に、照明用ライトガイドの入射端面を先端側筒体の先端部分に偏心させて取り付け、基端側筒体に対して先端側筒体を軸線周りに回転させることにより、光源から射出された照明光に対する照明用ライトガイドの入射端面位置が先端側筒体の軸線周りに回動して、光源から照明用ライトガイドの入射端面に入射する照明光の光量が変化するようにする。
【実施例】
【００１３】
図面を参照して本発明の実施例を説明する。
図２において、５０は光源５１を内蔵する光源装置であり、光源５１としては、ハロゲンランプ、キセノンランプ或いはレーザー発振器その他のものが本発明の対象となる。５２は、光源５１から射出された照明光を収束させるための収束光学系である。
【００１４】
１は、光源装置５０に対して着脱自在に接続される内視鏡のコネクタ部であり、図示されていない操作部から延出する連結可撓管２の先端に取り付けられている。３は、光源装置５０との間で電気信号をやりとりするようにコネクタ部１から突設された信号コネクタ部である。
【００１５】
４は照明用のライトガイドファイババンドルであり、その射出端部は図示されていない挿入部先端に観察方向に向けて配置され、連結可撓管２内からコネクタ部１内を通過する状態に配置されたライトガイドファイババンドル４の入射端部は、信号コネクタ部３と並列にコネクタ部１に突設されている照明光入射コネクタ部１０に挿通されている。
【００１６】
照明光入射コネクタ部１０は、コネクタ部１から固定的に突出する基端側筒体１１の先端部分に先端側筒体１２が軸線周りに回転自在に連結された構成になっている。
そして、先端側筒体１２の最先端部分にライトガイドファイババンドル４の入射端面４ａが固定されており、光源装置５０から照明光入射コネクタ部１０を取り外した状態にして、先端側筒体１２の後端部外周に形成された回転操作摘み１３を指先で摘んで回転させることにより、基端側筒体１１に対して先端側筒体１２を軸線周りに回転させることができる。
【００１７】
コネクタ部１には、そのような照明光入射コネクタ部１０と信号コネクタ部３が、一体的に光源装置５０のコネクタ受け部材（図示省略）に対して挿脱自在に接続できるように設けられていて、接続状態においては、光源５１から射出される照明光が収束光学系５２で収束されてライトガイドファイババンドル４の入射端面４ａに入射する。
【００１８】
図１は、そのような照明光入射コネクタ部１０の構造を詳細に示しており、基端側筒体１１と先端側筒体１２とは、基端側筒体１１の先端外周面に先端側筒体１２の後端内周面が回転自在に被嵌された状態で、同軸線上に真っ直ぐに連結されている。
【００１９】
そして、基端側筒体１１の先端近傍の外周面に形成された円周溝１５に緩く嵌め込まれた剛性リング１６（スライド規制手段）が、固定ネジ１７によって先端側筒体１２の後端近傍の内周面に固定されており、それによって、先端側筒体１２が基端側筒体１１に対して軸線周りに回転自在であるが軸線方向にスライド移動できないようになっている。
【００２０】
基端側筒体１１と先端側筒体１２との嵌合面に形成された円周溝内には、弾力性のあるゴム材等からなるＯリング１８（回転静止手段）が潰されて弾性変形した状態に配置され、装着部の嵌合面をシールしている。なお、図にはＯリング１８が潰れる前の形状を図示してある。
【００２１】
その結果、Ｏリング１８で生じる摩擦抵抗によって先端側筒体１２が基端側筒体１１に対して弾力的に固定され、先端側筒体１２を基端側筒体１１に対して軸線周りに回転させた任意の位置で静止させることができる。ただし、回転静止手段としてＯリング１８以外の機構等を設けてもよい。
【００２２】
また、基端側筒体１１の先端面には、先端側筒体１２の後端面に突設されたストッパピン１９が係合する円弧状溝２０が形成されている。この円弧状溝２０は、III−III断面を図示する図３に示されるように、基端側筒体１１の軸線周りの一周弱の範囲に形成されていて、その溝端の壁部がストッパピン１９の回動を規制するストッパ壁２１になっている。
【００２３】
このようにして、ライトガイドファイババンドル４が一定以上捩じられないように、基端側筒体１１に対する先端側筒体１２の最大回転範囲が最大回転範囲規制手段であるストッパピン１９とストッパ壁２１との当接により３６０°以内の角度で規制されて、その範囲内においてのみ先端側筒体１２が基端側筒体１１に対して軸線周りに自由に回転することができる。
【００２４】
円筒状の金属パイプ内に光学繊維束が固着された構成のライトガイドファイババンドル４の入射端部は、先端側筒体１２内に軸線と平行に貫通形成されたライトガイド差込孔１２ａに嵌挿されて、固定ネジ２２によりそこに押圧固定されている。
【００２５】
２３は、ライトガイドファイババンドル４の入射端面４ａに沿って配置されたカバーガラスであり、先端側筒体１２の先端部分にキャップ状に取り付けられたカバー筒２４により先端側筒体１２に着脱できるようになっている。２５は、カバー筒２４を先端側筒体１２に固定する固定ネジ、２６，２７はシール用のＯリングである。
【００２６】
先端側筒体１２のライトガイド差込孔１２ａは先端側筒体１２の軸線１２ｘに対して偏位した位置に形成されており、その結果、ライトガイドファイババンドル４の入射端面４ａの軸線４ｘが先端側筒体１２の軸線１２ｘに対して偏心した位置関係に配置されている。
【００２７】
したがって、照明光入射コネクタ部１０を光源装置５０から引き出して、回転操作摘み１３を指先で摘んで回転させれば、先端側筒体１２が基端側筒体１１に対し同軸線上で軸線周りに回転し、それによって、矢印Ｒで示されるようにライトガイドファイババンドル４の入射端面４ａが先端側筒体１２の軸線１２ｘの周りに回動する。
【００２８】
その結果、収束光学系５２による照明光の収束位置に対してライトガイドファイババンドル４の入射端面４ａの位置を軸線と垂直な任意の方向に偏位させることができるので、収束光学系５２の取り付け位置が製造工程においてばらついているような場合でも、光源５１から射出された照明光がライトガイドファイババンドル４の入射端面４ａに大きな無駄なく入射するように調整することができ、光源５１がレーザ発振器である場合等にも非常に有効である。
【図面の簡単な説明】
【００２９】
【図１】本発明の実施例の内視鏡の照明光入射コネクタの詳細構造を示す側面断面図である。
【図２】本発明の実施例の内視鏡コネクタが光源装置に接続された状態の側面略示図である。
【図３】本発明の実施例の内視鏡の照明光入射コネクタの図１におけるIII−III断面図である。
【符号の説明】
【００３０】
１  コネクタ部
４  ライトガイドファイババンドル
４ａ  入射端面
４ｘ  ライトガイドファイババンドルの軸線
１０  照明光入射コネクタ部
１１  基端側筒体
１２  先端側筒体
１２ａ  ライトガイド差込孔
１２ｘ  先端側筒体の軸線
１３  回転操作摘み
１５  円周溝
１６  剛性リング（スライド規制手段）
１８  Ｏリング（回転静止手段）
１９  ストッパピン（最大回転範囲規制手段）
２１  ストッパ壁（最大回転範囲規制手段）
５０  光源装置
５１  光源
５２  収束光学系
【図１】
2006122063.tif 000003
【図２】
2006122063.tif 000004
【図３】
2006122063.tif 000005